(57)【特許請求の範囲】
【請求項１】
太陽光から所定の電力を発電する太陽電池と、
前記太陽電池から電力が供給され充電される複数の蓄電池と、
前記複数の蓄電池から駆動電力を供給される発光手段と、
前記太陽電池から電力を供給される前記蓄電池と前記発光手段へ駆動電力を供給する前記蓄電池とを前記複数の蓄電池の中から選択する選択手段と、
前記太陽電池又は前記発光手段の周囲で照度を測定する照度計と、
前記照度計で測定された照度に応じて前記発光手段に駆動電力を供給する前記蓄電池を選択するように制御する制御手段とを有し、
記制御手段は、前記照度計で測定された照度が高い場合には前記複数の蓄電池から相対的に充電率の高い前記蓄電池を選択し、前記照度が低い場合には前記複数の蓄電池から相対的に充電率の低い前記蓄電池を選択し、前記発光手段に駆動電力を供給するように制御すること
を特徴とする充放電制御装置。
【請求項２】
前記制御手段は、前記複数の蓄電池から相対的に充電率の低い前記蓄電池を順に選択して前記太陽電池により発電された電力が供給され充電されるように制御すること
を特徴とする請求項１に記載の充放電制御装置。
【請求項３】
前記制御手段は、前記複数の蓄電池の充電率が全て所定の値に満たない場合に特定の時間帯のみ前記複数の蓄電池から前記発光手段に駆動電力を供給するように制御すること
を特徴とする請求項１に記載の充放電制御装置。
【請求項４】
太陽光から所定の電力を発電する太陽電池と、
前記太陽電池から電力が供給され充電される複数の蓄電池と、
前記複数の蓄電池から駆動電力を供給される発光手段と、
前記太陽電池から電力を供給される前記蓄電池と前記発光手段へ駆動電力を供給する前記蓄電池とを前記複数の蓄電池の中から選択する選択手段と、
前記太陽電池又は前記発光手段の周囲で照度を測定する照度計と、
前記照度計で測定された照度に応じて前記発光手段に駆動電力を供給する前記蓄電池を選択するように制御する制御手段と、
前記発光手段からの光を端面から入射させて主面に形成された凹部で拡散光を発生させる導光板とを有し、
記制御手段は、前記照度計で測定された照度が高い場合には前記複数の蓄電池から相対的に充電率の高い前記蓄電池を選択し、前記照度が低い場合には前記複数の蓄電池から相対的に充電率の低い前記蓄電池を選択し、前記発光手段に駆動電力を供給するように制御すること
を特徴とする内照明式看板。
【請求項５】
太陽光から所定の電力を発電する太陽電池と、
前記太陽電池から電力が供給され充電される複数の蓄電池と、
前記複数の蓄電池から駆動電力を供給される発光手段と、
前記太陽電池から電力を供給される前記蓄電池と前記発光手段へ駆動電力を供給する前記蓄電池とを前記複数の蓄電池の中から選択する選択手段と、
前記太陽電池又は前記発光手段の周囲で照度を測定する照度計と、
前記照度計で測定された照度に応じて前記発光手段に駆動電力を供給する前記蓄電池を選択するように制御する制御手段と、
前記発光手段に隣接して設けられ前記発光手段の光を主面に入射させて拡散光を発生させる拡散表示部材とを有し、
記制御手段は、前記照度計で測定された照度が高い場合には前記複数の蓄電池から相対的に充電率の高い前記蓄電池を選択し、前記照度が低い場合には前記複数の蓄電池から相対的に充電率の低い前記蓄電池を選択し、前記発光手段に駆動電力を供給するように制御すること
を特徴とする内照明式看板。
【請求項６】
太陽光から所定の電力を発電する太陽電池と、
前記太陽電池から電力が供給され充電される複数の蓄電池と、
前記複数の蓄電池から駆動電力を供給される発光手段と、
前記太陽電池から電力を供給される前記蓄電池と前記発光手段へ駆動電力を供給する前記蓄電池とを前記複数の蓄電池の中から選択する選択手段と、
前記太陽電池又は前記発光手段の周囲で照度を測定する照度計と、
前記照度計で測定された照度に応じて前記発光手段に駆動電力を供給する前記蓄電池を選択するように制御する制御手段と、
前記発光手段からの光を端面から入射させて主面に形成された凹部で拡散光を発生させる導光板と、
前記導光板に隣接して設けられ前記導光板で発生した拡散光を主面に入射させて拡散光を発生させる拡散表示部材とを有し、
記制御手段は、前記照度計で測定された照度が高い場合には前記複数の蓄電池から相対的に充電率の高い前記蓄電池を選択し、前記照度が低い場合には前記複数の蓄電池から相対的に充電率の低い前記蓄電池を選択し、前記発光手段に駆動電力を供給するように制御すること
を特徴とする内照明式看板。
【発明の詳細な説明】
【技術分野】
【０００１】
本発明は、太陽電池で発電された電力を複数のバッテリに充電して所定の負荷に供給する充放電制御装置及び該充放電制御装置を備えた内照明式看板に関する。
【背景技術】
【０００２】
従来、他のネオン広告等の光源に影響を受けず誤動作しにくい省電力型突出し看板に関して、看板の内部に光度センサを配設して雨及び砂塵にさらされることを防止することにより光度センサを安定して作動させ、看板の周囲の明るさが一定光度以下になったとき看板を点灯させる構成がある（例えば、特許文献１参照。）。
【０００３】
また、太陽電池式の表示装置に関して、表示板を太陽電池パネルへの太陽光の到達を妨げない透明性を有する材料で形成し、且つ該表示板を太陽電池のパネル面と重ねて配置することにより、所定の発電量を確保した上で表示装置を小型化した構成がある（例えば、特許文献２参照。）。
【先行技術文献】
【特許文献】
【０００４】
【特許文献１】特開２００５−２８３８８９号公報
【特許文献２】特開２００６−１１２５８号公報
【発明の概要】
【発明が解決しようとする課題】
【０００５】
しかしながら、前述の構成の様な太陽電池を用いた充放電の方法では、複数のバッテリを均等に充放電させることができないことから個々のバッテリの寿命が均等にならず、且つ太陽電池での発電量が一時的に低下するとバッテリへの充電が不足し照明機器が消灯するという問題が有った。
【０００６】
そこで、本発明は前述の技術的な課題に鑑み、発電される電力量が天候に左右される太陽電池から複数のバッテリに充電しても、個々のバッテリの充電状態に応じて所定の負荷に対し均等に電力を供給することにより全てのバッテリの寿命を延ばすことができ、且つバッテリの充電が不足することを防止できる充放電制御装置の提供を目的とする。
【課題を解決するための手段】
【０００７】
前述の課題を解決すべく、本発明に係る充放電制御装置は、太陽光から所定の電力を発電する太陽電池と、前記太陽電池から電力が供給され充電される複数の蓄電池と、前記複数の蓄電池から駆動電力を供給される発光手段と、前記太陽電池から電力を供給される前記蓄電池と前記発光手段へ駆動電力を供給する前記蓄電池とを前記複数の蓄電池の中から選択する選択手段と、前記太陽電池又は前記発光手段の周囲で照度を測定する照度計と、前記照度計で測定された照度に応じて前記発光手段に駆動電力を供給する前記蓄電池を選択するように制御する制御手段とを有し、記制御手段は、前記照度計で測定された照度が高い場合には前記複数の蓄電池から相対的に充電率の高い前記蓄電池を選択し、前記照度が低い場合には前記複数の蓄電池から相対的に充電率の低い前記蓄電池を選択し、前記発光手段に駆動電力を供給するように制御することを特徴とする。
【発明の効果】
【０００８】
本発明に係る充放電制御装置によれば、発電される電力量が天候に左右される太陽電池から複数のバッテリに充電しても、個々のバッテリの充電状態に応じて所定の負荷に対し均等に電力を供給することにより全てのバッテリの寿命を延ばすことができ、且つバッテリの充電が不足することを防止できる。
【図面の簡単な説明】
【０００９】
【図１】本発明の第１の実施形態の充放電制御装置の構成を示すブロック図である。
【図２】本発明の第１の実施形態の充放電制御装置が設けられた内照明式看板を示す斜視図である。
【図３】本発明の第１の実施形態の充放電制御装置が設けられた内照明式看板の側面を示す断面図である。
【図４】本発明の第１の実施形態の充放電制御装置により周囲の照度に応じて内照明式看板を点灯及び消灯させる制御を示す模式図であり、（ａ）は横軸に朝昼晩の一日に亘る時間を取り縦軸に内照明式看板の周囲の照度を取った模式図であり、（ｂ）は横軸に朝昼晩の一日に亘る時間を取り縦軸に内照明式看板に設けられた光源の駆動電力を取った模式図である。
【図５】本発明の第１の実施形態の充放電制御装置により周囲の照度に応じて内照明式看板を点灯及び消灯させる制御を示す模式図であり、（ａ）は横軸に朝昼晩の一日に亘る時間を取り縦軸に内照明式看板の周囲の照度を取った模式図であり、（ｂ）は横軸に朝昼晩の一日に亘る時間を取り縦軸に内照明式看板に設けられた光源の駆動電力を取った模式図である。
【発明を実施するための形態】
【００１０】
以下、本発明の充放電制御装置及び内照明式看板に係る好適な実施形態について、図面を参照しながら説明する。なお、本発明の充放電制御装置及び内照明式看板は、以下の記述に限定されるものではなく、本発明の要旨を逸脱しない範囲において、適宜変更可能である。
【００１１】
［第１の実施形態］
最初に充放電制御装置１０の構成等について図１を参照しながら説明し、次に充放電制御装置１０が設けられた内照明式看板１の構成等について図２及び図３を参照しながら説明し、最後に充放電制御装置１０により周囲の照度に応じて内照明式看板１を点灯及び消灯させる制御について図４及び図５を参照しながら説明する。
【００１２】
最初に、充放電制御装置１０の構成、仕様、及び動作等について、図１を参照しながら具体的に説明する。
【００１３】
充放電制御装置１０は、制御部１１の制御に基づき、照度計１６を用いて後述する内照明式看板１の周囲の照度を測定して該照度に応じて光源１４に供給される駆動電力の値が決定される。この様な充放電制御装置１０は、図１に示すように、制御部１１、太陽電池１２、バッテリ１３、光源１４、リレー１５、及び照度計１６から構成される。以下、充放電制御装置１０を構成する各構成部材について説明する。
【００１４】
充放電制御装置１０を構成する制御部１１は、制御手段であり、具体的には照度計１６を用いて内照明式看板１の周囲の照度を測定して該照度に応じて光源１４に供給する駆動電力の値を決定する。具体的には、制御部１１の制御に基づき、複数備えられたバッテリ１３から、内照明式看板１の周囲の照度が高い場合に充電率の高いバッテリ１３が選択され、且つ内照明式看板１の周囲の照度が低い場合に充電率の低いバッテリ１３が選択され、後述する内照明式看板１に設けられた光源１４に駆動電力が供給される。また、制御部１１の制御に基づき、複数備えられたバッテリ１３から充電率の低いバッテリ１３を順に選択して太陽電池１２により発電された電力が充電される。ここで充電率は、満充電を１００％としたときの割合を現している。この様な制御部１１は、制御プログラムを格納したＲＯＭ、制御プログラムに基づいて充放電制御装置１０を制御するＣＰＵ、複数設けられたバッテリ１３の充電率や照度計１６で測定した内照明式看板１の周囲の照度等を記憶するＲＡＭ、複数設けられたバッテリ１３の充電率を比較するコンパレータ、各制御のタイミングを所定の周期で計測するタイマーカウンタ、及び内照明式看板１を一定の時間帯に点灯させる場合に用いる時計等から構成される。また、制御部１１に、太陽電池１２での発電電力を経時的に計測する計数カウンタを設けても良い。
【００１５】
充放電制御装置１０を構成する太陽電池１２は、太陽光等がｐｎ接合型ダイオード等に照射されたときに生じる光電効果により、太陽光等の光エネルギから電力を生成する発電素子である。この様な太陽電池１２は、例えばシリコン半導体から形成されたものを用いる。また、太陽電池１２は、必要とされる電圧値と電流値に基づいて、例えば図２に示すように直列又は並列に複数個接続して使用する。また、太陽電池１２は、内照明式看板１を設置する環境等に応じて、紫外光と可視光領域で透明性を有するガラス等により被覆して保護する。なお、太陽電池１２は、光エネルギを電力に変換するものの蓄電機能を有さないことから、制御部１１の制御に基づき、発電した電力を後述するバッテリ１３に充電する。
【００１６】
充放電制御装置１０を構成する複数のバッテリ１３は、太陽電池１２で発電した電力を充電する蓄電池である。この様なバッテリ１３には、例えば鉛電池、リチウムイオン電池、又はスーパーキャパシタを用いた電池を用いることができる。なお、鉛電池は、例えば正極板に二酸化鉛、負極板に海綿状鉛、及び電解液に希硫酸が用いられている。該鉛電池は鉛と硫酸の化学反応により充放電を行う。また、リチウムイオン電池は、例えば正極にコバルト酸リチウム、負極にカーボンが用いられている。該リチウムイオン電池は、Ｌｉイオンが正極と負極との間を往復することにより充放電を行う。また、スーパーキャパシタを用いた電池は、電気二重層を形成する固体と液体との界面に正負の電荷が蓄えられる現象を用いた電池である。なお、複数のバッテリ１３には、それぞれ図示せぬ電圧計及び電流計が備えられ、制御部１１から個々のバッテリ１３の電圧値及び電流値を読み出し、個々のバッテリ１３の充電率を算出するように構成されている。
【００１７】
充放電制御装置１０を構成する光源１４は、発光手段であり、具体的には後述する内照明式看板１に設けられた導光板２０の端面から光を入射させ導光板２０の主面に形成された凹面で拡散光を発生させるための光源である。この様な光源１４は、導光板２０の端面の形状に沿うように棒状に形成されたガラエポ基板等に複数個の白色ＬＥＤを配設することにより構成される。ここで、光源１４に配設された白色ＬＥＤに駆動電流を印加して白色ＬＥＤ光を導光板２０の端面に入射させると、該白色ＬＥＤ光が導光板２０の主面である表面や裏面に形成された凹部に照射されることにより、各凹部で拡散光が発生する。
【００１８】
充放電制御装置１０を構成するリレー１５は、選択手段であり、具体的には充放電制御装置１０に複数備えられたバッテリ１３において、個々のバッテリ１３毎に太陽電池１２からの電力の供給をＯＮ又はＯＦＦするスイッチである。この様なリレー１５は、例えば電気信号を受けて機械的な動きに変える電磁石と開閉スイッチから成る。具体的には、リレー１５は、制御部１１の制御に基づき充放電制御装置１０に複数備えられたバッテリ１３の中で充電率の低いバッテリ１３が選択された時に、該選択されたバッテリ１３には太陽電池１２で発電された電力を供給し、選択されていないバッテリ１３には太陽電池１２で発電された電力を供給しない様に、電力の供給をＯＮ又はＯＦＦする。同様に、リレー１５は、充放電制御装置１０に複数備えられたバッテリ１３において、個々のバッテリ１３毎に光源１４への駆動電力の供給をＯＮ又はＯＦＦするスイッチである。
【００１９】
充放電制御装置１０を構成する照度計１６は、内照明式看板１の周囲の照度を測定する照度計である。この様な照度計１６は、例えば太陽から照射される光の波長領域に感度を有するＳｉフォトダイオードと、該Ｓｉフォトダイオードを被覆して保護する紫外光と可視光領域で透明性を有するガラス等から構成される。ここで、照度計１６により測定された内照明式看板１の周囲の照度の値に基づいて、バッテリ１３から光源１４に供給される駆動電力の値が決定される。具体的には、例えば日中やネオン灯や街灯などの近くに設置された内照明式看板１の周囲の照度は高く測定されることから、内照明式看板１が該ネオン灯や街灯の明るさに埋没しないように光源１４に供給される駆動電力の値が高く設定される。また、早朝や夜間及び街灯等が無く比較的暗い場所などに設置された内照明式看板１の周囲の照度は低く測定されることから、内照明式看板１が多少暗くても識別可能であることから光源１４に供給される駆動電力の値が低く設定される。なお、上述した照度計１６の機能を、太陽電池１２による発電電力を制御部１１に設けられた計数カウンタで計測する構成で代用させても良い。この様な場合には、太陽電池１２による発電電力が高い程、照度が高いと規定する。
【００２０】
次に、充放電制御装置１０が設けられた内照明式看板１の構成、仕様、及び動作等について、図２及び図３を参照しながら具体的に説明する。
【００２１】
内照明式看板１は、該内照明式看板１に配設した充放電制御装置１０により、安定した電力で且つ内照明式看板１の周囲の照度に対応した照度で、広告パネル３０を発光させることができる。この様な内照明式看板１は、前述した充放電制御装置１０、主面に形成された凹部で発生させた拡散光により後述する広告パネル３０を背面から照らす導光板２０、導光板２０から照らされた光により例えば会社名からなる情報を伝達する広告パネル３０、各構成部材を固定する筐体４０、及び筐体４０を支持する支柱５０から構成される。以下、内照明式看板１を構成する各構成部材について説明する。但し、充放電制御装置１０については、図１を参照しながら前述したことから説明を省く。
【００２２】
内照明式看板１を構成する導光板２０は、該導光板２０の主面に形成された凹部で発生させた拡散光により後述する広告パネル３０を背面から照らすバックライトである。この様な導光板２０は、例えばメタクリル樹脂（Ｐｏｌｙｍｅｔｈｙｌｍｅｔｈａｃｒｙｌａｔｅ）板から成り、広告パネル３０の主面に隣接して設けられるように所定の板状部から形成され、該板状部には複数の凹部が超音波加工等により設けられている。具体的には、該凹部は、板状部から形成される導光板２０の主面に対して、例えば長径０．６ｍｍ及び深さ０．４ｍｍの四角錐形状痕から形成され、例えば２．０ｍｍの間隔でマトリクス状に設けられている。なお、導光板２０は、後述する筐体４０の上部板４１と光源１４にそれぞれ係合した状態で固定される。また、上述した導光板２０に、例えば会社名からなる広告情報を直接印刷して表示させても良い。
【００２３】
内照明式看板１を構成する広告パネル３０は、拡散表示部材であり、導光板２０から照らされた光により例えば会社名からなる情報を、内照明式看板１を目視した人に対して伝達するための広告媒体である。この様な広告パネル３０は、拡散効果を有する乳半板に所定の文字等を印刷することにより形成される。なお、広告パネル３０は、導光板２０の両面又は片面に隣接するように配設される。ここで、導光板２０から放出された拡散光が広告パネル３０で更に拡散されて、広告パネル３０表面で点在する輝点が不明瞭となることにより、該広告パネル３０が均一な発光面となる。また、内照明式看板１に導光板２０を配設せず、光源１４を広告パネル３０に向けて対面するように設けて、広告パネル３０の後方から直接照らすバックライトとして構成としても良い。なお、広告パネル３０は、後述する筐体４０の上部板４１と下部板４３及び光源１４にそれぞれ係合した状態で固定される。
【００２４】
内照明式看板１を構成する筐体４０は、太陽電池１２、照度計１６、光源１４、導光板２０、及び広告パネル３０を固定するための固定部材である。この様な筐体４０は、例えばアルミニウムから成り、それぞれ板状から形成され、上部板４１、側板４２、及び下部板４３から構成される。上部板４１は、内照明式看板１の上部に設けられ、太陽電池１２及び照度計１６を配設する。なお、太陽電池１２及び照度計１６は、側板４２等に配設しても良い。また、下部板４３は、上部板４１と対向するように設けられ、光源１４、導光板２０、及び広告パネル３０を係合して固定する。また、側板４２は、広告パネル３０が係合していない上部板４１と下部板４３との間を遮蔽するように設けられている。なお、上部板４１、側板４２、及び下部板４３は、それぞれネジ留め等により接合されている。
【００２５】
内照明式看板１を構成する支柱５０は、筐体４０を支持する支持部材である。この様な支柱５０は、例えばステンレスから成り、例えば円筒形状から形成される。また、支柱５０の内部には、充放電制御装置１０の制御部１１、複数のバッテリ１３、及びリレー１５が設けられている。ここで、支柱５０の側面部に、例えばＵＳＢやＲＳ―２３２Ｃに対応する端子口を設けておき、該端子口にパソコン等を接続して充放電制御装置１０の制御部１１に格納された制御プログラムを変更したり、複数のバッテリ１３の消耗レベルを確認できるようにしても良い。また、支柱５０の内部に充放電制御装置１０に接続した無線装置を備えておき、上記の確認を遠隔操作で行っても良い。なお、支柱５０の上部は、筐体４０の下部板４３の中央部でネジ留め等により接合されている。同様に、支柱５０の下部は、内照明式看板１を設置する所定の場所に、ポール固定金具を用いて固定され、又は埋設して固定される。
【００２６】
最後に、充放電制御装置１０により周囲の照度に応じて内照明式看板１を点灯及び消灯させる制御について、図４及び図５を参照しながら説明する。
【００２７】
内照明式看板１を点灯及び消灯させる制御について、まず図４を参照しながら説明する。図４には、充放電制御装置１０により周囲の照度に応じて内照明式看板１を点灯及び消灯させる制御を、横軸に朝昼晩の一日に亘る時間を取り且つ図４（ａ）の縦軸には内照明式看板１の周囲の照度を取り、図４（ｂ）の縦軸には内照明式看板１に設けられた光源１４の駆動電力を取ることにより、模式図で示している。以下、内照明式看板１を点灯及び消灯させる制御に関し、図４（ａ）及び（ｂ）の横軸において朝を示す左端から夜を示す右端にかけて順に説明する。
【００２８】
図４の横軸に係るｔ０乃至ｔ１直前の時間帯は、季節より異なるが例えば早朝から日の出過ぎまでを示しており、内照明式看板１の周囲が日中に比べて相対的に暗い。このため、照度計１６で測定した内照明式看板１の周囲の照度は、図４（ａ）の右側の縦軸に示す所定の照度値である閾値１を下回っている。なお、該閾値１の値は、予め所定の値に設定しておく。この様に図４の横軸に係るｔ０乃至ｔ１直前の時間帯は、内照明式看板１の周囲も相対的に暗いことから、内照明式看板１が多少暗くても広告パネル３０を識別することができる。そこで、制御部１１の制御に基づき、図４（ｂ）の右側の縦軸に示すように複数のバッテリ１３の中から充電率が低いバッテリ１３を選択して、光源１４を相対的に低い駆動電力で発光させる。なお、図４（ｂ）の右側の縦軸では上記の様に充電率が低いバッテリ１３をバッテリ弱と規定する。
【００２９】
図４の横軸に係るｔ１乃至ｔ２直前の時間帯は、天候にもよるが一日の中で照度が最も高くなる日中を示しており、内照明式看板１の周囲が朝や夜に比べて相対的に非常に明るい。このため、照度計１６で測定した内照明式看板１の周囲の照度は、図４（ａ）の右側の縦軸に示す所定の照度値である閾値１を上回っている。この様に図４の横軸に係るｔ１乃至ｔ２直前の時間帯は、内照明式看板１の周囲が相対的に非常に明るいことから、内照明式看板１の広告パネル３０を発光しても該広告パネル３０の識別力には影響が少ない。そこで、制御部１１の制御に基づき、図４（ｂ）に示すように光源１４への駆動電力の供給が停止される。
【００３０】
図４の横軸に係るｔ２乃至ｔ３直前の時間帯は、季節より異なるが例えば正午過ぎから夕方までを示しており、内照明式看板１の周囲が日中に比べて若干暗い。このため、照度計１６で測定した内照明式看板１の周囲の照度は、図４（ａ）の右側の縦軸に示す所定の照度値である閾値１を下回っている。しかしながら、図４の横軸に係るｔ２乃至ｔ３直前の時間帯は、該内照明式看板１の周囲はまだ相当明るいことから、内照明式看板１の広告パネル３０を強く発光させることにより該広告パネル３０を識別できるようにする。そこで、制御部１１の制御に基づき、図４（ｂ）の右側の縦軸に示すように複数のバッテリ１３の中から充電率が高いバッテリ１３を選択して、光源１４を相対的に高い駆動電力で発光させる。なお、図４（ｂ）の右側の縦軸では上記の様に充電率が高いバッテリ１３をバッテリ強と規定する。
【００３１】
図４（ａ）の横軸に係るｔ３乃至ｔ４直前の時間帯は、季節より異なるが例えば夕方から日の入り直前までを示しており、内照明式看板１の周囲が日中に比べて相当暗い。このため、照度計１６で測定した内照明式看板１の周囲の照度は、図４（ａ）の右側の縦軸に示す所定の照度値である閾値２を下回っている。なお、照度は閾値１よりも閾値２の方が低い。また、図４の横軸に係るｔ３乃至ｔ４直前の時間帯は、内照明式看板１の周囲が相当暗いため、内照明式看板１の広告パネル３０を強く発光させなくても該広告パネル３０を識別させることができる。そこで、制御部１１の制御に基づき、図４（ｂ）の右側の縦軸に示すように複数のバッテリ１３の中から充電率が平均値のバッテリ１３を選択して、光源１４を発光させる。なお、図４（ｂ）の右側の縦軸では上記の様に充電率が平均値のバッテリ１３をバッテリ中と規定する。
【００３２】
図４の横軸に係るｔ４乃至ｔ５の時間帯は、季節より異なるが例えば日の入り後から深夜までを示しており、内照明式看板１の周囲が日中に比べてかなり暗い。このため、照度計１６で測定した内照明式看板１の周囲の照度は、図４（ａ）の右側の縦軸に示す所定の照度値である閾値３を下回っている。なお、照度は閾値２よりも閾値３の方が低い。また、図４の横軸に係るｔ４乃至ｔ５の時間帯は、内照明式看板１の周囲がかなり暗いことから、内照明式看板１の広告パネル３０が多少暗くても該広告パネル３０を識別させることができる。そこで、制御部１１の制御に基づき、図４（ｂ）の右側の縦軸に示すように複数のバッテリ１３の中から充電率が低い弱のバッテリ１３を選択して、光源１４を発光させる。なお、図４（ｂ）の右側の縦軸では上記の様に充電率が低いバッテリ１３をバッテリ弱と規定する。
【００３３】
図４の横軸に係るｔ０乃至ｔ５の時間帯毎に場合分けて説明した通り、内照明式看板１において、制御部１１の制御に基づき、内照明式看板１の周囲の照度が高い場合に複数備えられたバッテリ１３の中から充電率の高いバッテリ１３を選択し、且つ内照明式看板１の周囲の照度が低い場合に充電率の低いバッテリ１３を選択する。なお、図４の横軸に係るｔ０乃至ｔ５の時間帯において、充放電制御装置１０は、制御部１１の制御に基づき、複数備えられたバッテリ１３から充電率の低いバッテリ１３を順に選択して太陽電池１２により発電された電力を充電させる。なお、図５（ａ）及び（ｂ）は、図４（ａ）及び（ｂ）と比較して、横軸ｔ２、ｔ３、及びｔ４の時間帯における内照明式看板１の周囲の照度の低下が著しい場合を示したものであり、バッテリ１３の選択方法や光源１４の駆動方法については図４を参照しながら前述した方法と同様である。
【００３４】
また、全てのバッテリ１３の充電の状態が良好の場合には、充電率の低いバッテリ１３から順に太陽電池１２から充電を行い、且つ充電率の高いバッテリ１３から順に光源１４に駆動電力を供給する制御を行っても良い。また、複数のバッテリ１３の全ての充電が不十分である場合には、光源１４の駆動電圧を十分に下げた状態で、例えば１９時乃至２４時迄の間のみ光源１４を駆動する時間帯制御を行っても良い。また、複数のバッテリ１３を並列に接続しておき、バッテリ１３を複数個同時に並列で使用することによって冬季等の日照時間の少ない時に、個々のバッテリ１３の使用量を均等に抑制する構成としても良い。なお、バッテリ１３への充電が行えない等の不良が発生した場合には、制御部１１を介して、内照明式看板１上で図示せぬ表示ランプを点滅させるなどにより報知する構成としても良い。
【００３５】
以上、充放電制御装置１０を設けた内照明式看板１によれば、制御部１１の制御に基づき、内照明式看板１の周囲の照度が高い場合には複数備えられたバッテリ１３から充電率の高いバッテリ１３を選択して高い駆動電圧で光源１４を相対的に強く発光させ、内照明式看板１の周囲の照度が低い場合には複数備えられたバッテリ１３から充電率の低いバッテリ１３を選択して低い駆動電圧で光源１４を相対的に弱く発光させる。したがって、発電される電力量が天候に左右される太陽電池１２から複数のバッテリ１３に充電しても、個々のバッテリ１３の充電状態に応じて光源１４に対して均等に駆動電力を供給することにより、全てのバッテリ１３の寿命を延ばすことができる。また、内照明式看板１の周囲の照度に応じて内照明式看板１に設けた広告パネル３０を適切に発光させることで、内照明式看板１を目視した人に対して時間帯や天候に寄らず十分に情報を伝達することができる。
【００３６】
また、充放電制御装置１０を設けた内照明式看板１によれば、制御部１１の制御に基づき、複数備えられたバッテリ１３から充電率の低いバッテリ１３から順に選択して太陽電池１２により発電された電力が充電される。したがって、発電される電力量が天候に左右される太陽電池１２でも複数のバッテリ１３を効率良く充電することができ、バッテリ１３の充電が不足して内照明式看板１が消灯することを防止する。
【００３７】
なお、上述した第１の実施形態においては、充放電制御装置１０を内照明式看板１に設ける構成として説明したが、このような形態に限定されることはなく、本発明の要旨を逸脱しない範囲において適宜変更可能である。具体的には、充放電制御装置１０を例えば歩道を照らす街灯や公園に設置された時計に設ける構成としても良い。また、太陽電池１２や照度計１６を内照明式看板１に設けずに内照明式看板１と離間した場所に配設する構成としても良い。また、光源１４は、ＬＥＤに限定されることはなく、蛍光管、ＣＣＦＬ管（冷陰極管）、及びネオン管等であってもよい。
【符号の説明】
【００３８】
１  内照明式看板
１０  充放電制御装置
１１  制御部
１２  太陽電池
１３  バッテリ
１４  光源
１５  リレー
１６  照度計
２０  導光板
３０  広告パネル
４０  筐体
４１  上部板
４２  側板
４３  下部板
５０  支柱
【図１】
0005462550.tif 000002
【図２】
0005462550.tif 000003
【図３】
0005462550.tif 000004
【図４】
0005462550.tif 000005
【図５】
0005462550.tif 000006